(57)【要約】【課題】手軽に携帯ができるのみならず、電磁波のような有害波から安全な携帯用健康器具を提供する。【解決手段】本発明の半身浴健康器具４００は、ユーザーの鳩尾以下の下半身が入られるように所定の収容空間を持つ収納体４１０と、該収納体４１０に内蔵されて外部ボイラー４３０から供給される温水を熱伝達媒体として循環させるための温水循環配管４２０と、前記収納体４１０の上端部に形成されて収納体４１０とユーザーの鳩尾の上部を加圧密着させるための締め手段４１２・４１３と、ユーザーの出入が容易となるように収納体４１０の一側端に形成された締結手段４１１とを含む。【選択図】図２８
2006006905.tif 000002
【特許請求の範囲】
【請求項１】
人が横になることができる所定広さのマット体と、
該マット体に内蔵されて、ヒーターから供給される温水を熱伝達媒体として循環させるための温水循環配管と、
前記マット体の側面の周縁に付着及び固定された締結手段とを含み、
前記マット体を上下または左右方向に半分に折り畳んだ状態で、前記締結手段によりマット体の側面が結着されるように構成されたことを特徴とする半身浴健康器具。
【請求項２】
前記マット体の一側端にユーザーの上半身を支持するための補助翼が脱着可能に付着されたことを特徴とする請求項１に記載の半身浴健康器具。
【請求項３】
前記補助翼は、収納空間が形成されるカバー体と、該カバー体の内側収納空間に満たされる充填体とから構成され、
前記カバー体の後端部には、前記充填体を出し入れできる開閉手段が形成されていることを特徴とする請求項２に記載の半身浴健康器具。
【請求項４】
前記温水循環配管は、水槽の出口に並列に分けられる連結具を形成して、各通路に耐熱ホースから成る配管パイプを連結し、
該配管パイプは、水槽の入口で各々の通路に分けられた連結具と連結されて、水槽の入口に連結され、
水槽の入口は、ヒーターに向かうように方向が転換されていることを特徴とする請求項１または２に記載の半身浴健康器具。
【請求項５】
前記温水循環配管は軟質の銅パイプを用い、前記マット体の折曲げ部ごとに弾性パイプで囲んで、マット体の折曲げを容易にしたことを特徴とする請求項４に記載の半身浴健康器具。 
【請求項６】
前記マット体の上部面に、漢薬材などを収納することができる網紗部材の収納用布が着脱自在に付着されたことを特徴とする請求項１ないし５の何れか一つに記載の半身浴健康器具。
【請求項７】
ユーザーの鳩尾以下の下半身が入られるように所定の収容空間を持つ収納体と、
該収納体に内蔵されて、外部ボイラーから供給される温水を熱伝達媒体として循環させるための温水循環配管と、
前記収納体の上端部に形成されて、収納体とユーザーの身体を加圧、密着させるための締め手段と、
ユーザーの出入が容易となるように収納体の一側端に形成された締結手段とを含むことを特徴とする半身浴健康器具。
【請求項８】
前記締め手段は、ユーザーの身体サイズに拘らず容易に着用できるように、前記収納体の上端周囲に形成されて収納体とユーザーの身体を水平方向に加圧密着させるための脇腹紐と、前記収納体の上端部に形成されて収納体とユーザーの身体を垂直方向に加圧密着させるための肩紐とを含むことを特徴とする請求項７に記載の半身浴健康器具。
【請求項９】
前記収納体の後面上端部には、椅子の上端一部を収容することができるように所定空間が内部に形成され、その下部面が開放されて別途の付着手段無しにも椅子に容易に脱付着させるためのカバー体が一体で形成されたことを特徴とする請求項８に記載の半身浴健康器具。
【請求項１０】
前記収納体の前面には、ユーザーの膝が位置する部位に所定の幅を持つベローズ部が横方向に形成されたことを特徴とする請求項８に記載の半身浴健康器具。
【請求項１１】
前記締め手段が、締め紐と、該締め紐を固定させる固定体とを含むことを特徴とする請求項７に記載の半身浴健康器具。
【請求項１２】
タンクと操作部間に形成された区切壁の貫通部を通じて水中モータのケースが結合されて装着された温水マット用ボイラーであって、
前記水中モータケースの外側壁に形成されたフランジが、インペラーが収納される後方部に形成されてタンクの外側に外装される構造で装着されたことを特徴とする温水ボイラー。
【請求項１３】
タンクと操作部間に形成された区切壁の貫通部を通じて水中モータのケースが結合されて装着された温水マット用ボイラーであって、
前記貫通部と水中モータのケースを円形で形成し、該貫通部の内周面とケースの外周面には回転により互いに結合される螺旋状の結合部を各々形成させて、螺旋結合方法で結合されたことを特徴とする温水ボイラー。
【発明の詳細な説明】
【技術分野】
【０００１】
本発明は、半身浴が可能な健康器具に関するものであって、特に手軽に携帯ができるのみならず、電磁波のような有害波から安全な携帯用健康器具に関する。
【背景技術】
【０００２】
最近、一般には半身浴という温熱治療法が幅広く知られている。この半身浴は、鳩尾以下の下半身を温水などで加熱して血液循環を円滑化させることによって、体内の冷気を無くし、かつ血圧を低めにする健康療法である。従来は、半身浴のために、身体の下半身を直接湯船に浸さなければならなかった。そのため、半身浴の可能な場所が風呂などの場所に限定される問題点があった。従って、より便利で、簡便にどこでも半身浴ができる新たな健康器具の開発が求められる。
【発明の開示】
【発明が解決しようとする課題】
【０００３】
本発明の第１目的は、時間や場所に拘らず、いつどこでも半身浴が可能な携帯用健康器具を提供することである。本発明の第２目的は、有害な電磁波から安全な携帯用半身浴器具を提供することである。本発明の第３目的は、保管が便利で、移動が簡便な携帯用半身浴器具を提供することである。
【課題を解決するための手段】
【０００４】
前記の目的を達成するために、本発明の第１態様による半身浴健康器具は、人が横になることができる所定広さのマット体と、該マット体に内蔵されて、ヒーターから供給される温水を熱伝達媒体として循環させるための温水循環配管と、前記マット体の側面の周縁に付着及び固定された締結手段とを含み、前記マット体を上下または左右方向に半分に折り畳んだ状態で、前記締結手段によりマット体の側面が結着されるように構成される。このとき、前記温水循環配管は、水槽の出口に並列に分けられる連結具を形成して各通路に耐熱ホースから成る配管パイプを連結し、該配管パイプは、水槽の入口で各々の通路に分けられた連結具と連結されて水槽の入口に連結され、水槽の入口は、ヒーターに向かうように方向が転換されている。
【０００５】
また、本発明の第２態様による半身浴健康器具は、内部に温水循環配管が内蔵された所定広さのマット体の周囲に締結手段が形成されて、前記マット体を半分に折り畳んだ状態で締結させて、前記マット体の上部開口部にユーザーが入って横になると、鳩尾以下の下半身が覆われて、半身浴の効果が得られる半身浴健康器具において、前記マット体の一側端にユーザーの上半身を支持することができる補助翼が形成されたことを特徴とする。
【０００６】
本発明の第３態様による半身浴健康器具は、ユーザーの鳩尾以下の下半身が入られるように所定の収容空間を持つ収納体と、該収納体に内蔵されて外部ボイラーから供給される温水を熱伝達媒体として循環させるための温水循環配管と、前記収納体の上端部に形成されて収納体とユーザーの身体を加圧、密着させるための締め手段と、ユーザーの出入が容易となるように収納体の一側端に形成された締結手段とを含む。
【０００７】
また、本発明の第４態様による半身浴健康器具は、温水循環配管が内蔵され、ユーザーの鳩尾以下の下半身が収容される袋状の収納体で形成されて、湯船なしにも半身浴を楽しむことができる半身浴健康器具において、ユーザーの身体サイズに拘らず容易に着用できるように、前記収納体の上端周囲に形成されて収納体とユーザーの身体を水平方向に加圧密着させるための脇腹紐と、前記収納体の上端部に形成されて収納体とユーザーの身体を垂直方向に加圧密着させるための肩紐とを含んで構成される
【０００８】
本発明の第５態様による温水ボイラーは、タンクと操作部間に形成された区切壁の貫通部を通じて水中モータのケースが結合されて装着された温水マット用ボイラーであって、前記水中モータケースの外側壁に形成されたフランジが、インペラーが収納される後方部に形成されてタンクの外側に外装される構造で装着されたことを特徴とする。
【０００９】
また、本発明の第６態様による温水ボイラーは、タンクと操作部間に形成された区切壁の貫通部を通じて水中モータのケースが結合されて装着された温水マット用ボイラーであって、前記貫通部と水中モータのケースを円形で形成し、該貫通部の内周面とケースの外周面には回転により互いに結合される螺旋状の結合部を各々形成させて、螺旋結合方法で結合されたことを特徴とする。
【発明の効果】
【００１０】
本発明の半身浴健康器具は、半身浴効果は勿論、器具に収納された漢薬材により漢薬材を服用しなくても接触によりその効果を実感することができるため、健康増進に役に立つ。
【００１１】
また、ユーザーが本発明による半身浴健康器具を着用すると、締め手段により外部空気の出入を防止して、内部温度を一定に維持させることができるため、半身浴の効果を極大化させることができる。 
【００１２】
本発明による半身浴健康器具は、ユーザーの身体サイズに拘らず、しっかり合うように着用できるため、外部空気の出入を防止して内部温度を維持するとともに、半身浴健康器具がユーザーの鳩尾以下に下がらないため、半身浴の効果を極大化させることができる。
【発明を実施するための最良の形態】
【００１３】
以下、添付した図面に基づいて、本発明の望ましい実施例を詳しく説明する。
【実施例１】
【００１４】
［半身浴マット体］
図１ないし図２０に基づいて、本発明の第１実施例による健康器具を説明する。 
【００１５】
まず、図１を参照すると、本実施例の健康器具は、人が横になることができる所定広さのマット体１０の内部に、ボイラー４０から供給される温水を循環させるための温水循環配管２０が内蔵されているマットである。マット体１０の内部に温水循環配管を内蔵する具体的な方法と構造は、韓国登録特許第１０-０２７１６０５号公報及び韓国公開特許第２００４-３６６７号公報に詳しく開示されている。 
【００１６】
前記マット体１０の左右側端の周縁には、マット体１０を半分に折り畳んだ状態で、マット体１０の左右側端を相互結着させるための締結手段３０が付着及び固定されている。
【００１７】
前記締結手段３０は、ジッパー（登録商標）または押しボタンまたはベルクロ社製テープから成り得る。締結手段としてジッパー（登録商標）を用いる場合、前記マット体１０の左右側端の周縁にジッパー（登録商標）を縫製のような方法を用いて、一体形で付着し固定させる。従って、平常時マット体１０が広げられた状態では、スライダー３１によりジッパー（登録商標）が開放された状態を維持し(図１参照)、温サウナをするためには前記マット体１０を折曲げ部１１を基準として折り畳むことによって、上端のみ開放された構造のマット体１０を形成するようになる(図２参照)。即ち、図２のように、スライダー３１を移動させて開放されたジッパー（登録商標）を閉めることによって、左右側端及び下端が閉められ、ユーザーの下半身が入る上端のみ開放された構造のマット体１０を形成することになる。
【００１８】
前記締結手段としてボタンまたはベルクロ社製テープを用いる場合には、図３及び図４に示したように、マット体１０の左右側端の周縁に多数個の押しボタン３２ａまたはベルクロ社製テープ３２ｂを接着剤または縫製のような方法を用いて付着し固定するが、前記マット体１０の折曲げ部１１を中心としてマット体１０の上部面と下部面が折り畳まれたとき、互いに対応する位置に対を成すように構成する。 
【００１９】
一方、図５と図６に示した本実施例の変形例の場合、前記マット体１０の上部面と下部面が折り畳まれたとき、上端ではなく、左側端または右側端のうち何れか一つの方向にユーザーが入って半身浴をすることができるように、前記マット体１０の周縁に折曲げ部１１を中心として互いに対応する締結手段３０を付着している。 
【００２０】
また、図７に示した本実施例の他の変形例は、２人が共に横になることができる広さの２人用温水マット１０であって、折曲げ部１１を中心として半分に折り畳むことにより、図８のような半身浴マット体１０を形成することができる。従って、平常時は２人用温水マットで用いるが、前記折曲げ部１１を中心として前記マット体１０の左側面と右側面を積み重ねた後、前記締結手段３０により一方端のみ開放された寝袋形で結着させることができる。従って、ユーザーの体が全部寝袋形のマット体１０中に入られるため、鳩尾以下の身体部分を温熱刺激する半身浴のみならず、全身浴の効果も得ることができる。
【００２１】
［温水循環配管］
図９は、本発明による半身浴健康器具に内蔵された温水循環配管が並列に連結された状態を示した配管図であって、水槽の出口Ａに並列に分けられる連結具２１ａを形成して、各々の通路に耐熱ホースから成る配管パイプを連結し、該配管パイプは水槽の入口Ｂで各々の通路に分けられた連結具２１ｂと連結されて水槽の入口に連結される。また、水槽の入口はヒーター４１に向かうように方向が転換されている。なお、本発明では一つのヒーターを用いることとして説明しているが、多数個のヒーターを並列に連結して用いる場合には、ヒーター４１に接触される水から気泡の発生が抑制されるため温水マットの騒音を予防することができ、循環ポンプ４２によりポンピングされた水は、並列に連結されている配管パイプにより分散されるため循環が速くなる。 
【００２２】
また、図１０のように前記温水循環配管を熱伝導率の高い銅パイプを用いて、循環される水の熱伝達率を高めることによって、マットの発熱効果を最大に高めることができる。なお、銅パイプは軟質のものを用いて折り畳めるようにしたものであって、マット体１０が折り畳まれる折曲げ部１１に、ウレタンやコム材などの弾性パイプ２２で囲んで折り畳まれたときの折れ程度を緩和させ得るようにすることによって、前記折曲げ部１１の反復的な折れによる温水循環配管２０の破損を防ぐことができる。
【００２３】
［ボイラー］
図１１ないし図２４には本発明の半身浴健康器具に設けられるボイラー１００の構成が示されている。 
【００２４】
前記ボイラー１００は、水を所定温度に暖めてマットに供給するためのタンク１１０と、マットに供給される温水の温度調節及び電源の供給及び遮断を調節するための操作盤(図示せず)が設けられる操作部１３０とから成る。なお、タンク１１０には水が満たされているため、タンク１１０内部に装着される熱伝達体(図示せず)により暖められた温水をマットに循環させるための水中モータ１２０が装着される。 
【００２５】
このように電源部と稼動部が互いに分離された構造のボイラーに対する具体的な構成は、韓国公開特許第２００４-１９６０５号公報に詳しく開示されている。 
【００２６】
図１１に示したように、本発明のボイラーはタンク１１０と操作部１３０の間に形成された区切壁１４０の貫通部１４１を通じて水中モータのケース１２１が結合されている。この水中モータケース１２１の外側壁に形成されるフランジ１２２が、インペラー１２３の収納される後方部に形成されて、タンク１１０の外側に外装される構造で装着されるようになったのが特徴である。なお、前記水中モータのケース１２１の前方には、モータ１２４が収納されるように前方へ開口される外部収納部１２１ａが形成され、後方には前記モータ１２４から駆動力を伝達されて回転するインペラー１２３が収納されるように後方へ開口される内部収納部１２１ｂが形成される。また、インペラー１２３が収納された内部収納部１２１ｂの開口部は、タンク１１０の内部に位置され、モータ１２４が収納された外部収納部１２１ａの開口部は前記操作部１３０に位置される。なお、前記区切壁１４０の貫通部１４１の外側には、ナット機能を持つ結合突起１４２が形成され、前記水中モータのケース１２１に形成されたフランジ１２２には、結合孔１２２ａを形成させて、ボルト１５０を用いた締め方法で水中モータを装着させることができる。
【００２７】
従って、このように構成された本発明のボイラー１００は、フランジ１２２が水中モータのケース１２１の後方部に形成されているため、水中モータを区切壁１４０の貫通部１４１の前方部を通じて貫通されるように嵌合させると、図１２に示したように水中モータのフランジ１２２が貫通部１４１の前方に位置され、水中モータがタンク１１０の外側に外装された状態で装着されるため、水中モータのケース１２１の内部に収納されたモータ１２４がタンク１１０に満たされる温水の影響を全く受けなくなる。
【００２８】
(変形例１)
図１３と図１４には、本発明によるボイラーの変形例(変形例１)が示されている。変形例１によるボイラーにおいては、前記水中モータ１２０が前記貫通部１４１を貫通するほどの長さとなり、その前方に前記フランジ１２２を形成させてタンク１１０に装着時、モータ１２４がケース１２１の外部に露出するため、モータ１２４から発生される熱の発散が可能である。従って、  モータの損傷をさらに防ぐことができる。これは、水中モータが位置される操作部１３０の内部が空き空間に成っているため、モータ１２４から発生される熱を冷やすことができ、水中モータが操作部１３０の内部に収納されてボイラーの外部には露出しないからである。
【００２９】
(変形例２)
図１５及び図１６には、本発明によるボイラーの他の変形例(変形例２)の構成が示されている。 
【００３０】
図面に示したように、変形例２のボイラーは、貫通部１４１と水中モータのケース１２１を円形で形成し、前記貫通部１４１の内周面とケース１２１の外周面には、回転により相互結合される螺旋状の結合部１２２、１４２を各々形成させて、螺旋結合方法で結合させたのが特徴である。なお、前記水中モータのケース１２１の前方へ開口される外部収納部１２１ａにはモータ１２４が収納され、後方へ開口される内部収納部１２１ｂには、前記モータ１２４から駆動力を伝達されて回転するインペラー１２３が収納される。インペラー１２３が収納される内部収納部１２１ｂの開口部がタンク１１０の内部に位置され、モータ１２４が収納される外部収納部１２１ａの開口部が前記操作部１３０に位置される。 
【００３１】
前記水中モータケース１２１の前方部には、前記貫通部１４１の前方に結合されるフランジ１２５が形成されて、タンク１１０に満たされる水が貫通部１４１を通じた操作部１３０へ流入することを遮断するようにするとともに、タンク１１０に装着される水中モータ１２４の正確な結合ができるようになっているものであって、このときの螺旋状の結合部１２２は、フランジ１２５が位置された地点の後端部まで形成されなければならない。従って、前記のような結合構造を持つ本変形例のボイラーは、貫通部１４１の内周面に形成された結合部１４２に、水中モータのケース１２１の外周面に形成された結合部１２２を螺旋結合方法で回して締めることだけで、水中モータ１２４の装着が可能となる。なお、水中モータ１２４は、タンク１１０に内蔵された形態で装着される。
【００３２】
(変形例３)
図１７及び図１８には、前記変形例２のボイラーに対するさらに他の変形例(変形例３)の構成が示されている。 
【００３３】
図面に示したように、変形例３のボイラーは、フランジ１２５を水中モータケース１２１の後方部に形成させて、タンク１１０に装着時、水中モータのケース１２１がタンク１１０の外側に外装される状態で装着されて、ケース１２１の外部収納部１２１ａに収納されるモータ１２４を保護することができるようにするものであって、これはマットの作動時、タンク１１０に満たされた水の温度上昇による周囲温度の影響を受けなくなるため、モータ１２４の性能低下及び損傷を防ぐことができる。 
【００３４】
(変形例４)
図１９及び図２０には、前記変形例２のボイラーに対するさらに他の変形例(変形例４)の構成が示されている。 
【００３５】
図面に示したように、変形例４のボイラーは、水中モータのケース１２１を貫通部１４１を貫通するほどの長さのみで成るように形成させ、その前方部にフランジ１２５を形成させて、モータ１２４がケース１２１の外部に露出するようにすることによって、モータ１２４から発生される熱を外部に発散させて、モータの損傷をさらに防ぐことができるものである。これは、水中モータ１２４が位置される操作部１３０の内部が空き空間と成っているため、モータ１２４から発生される熱を冷やすことができ、水中モータ１２４が操作部１３０の内部に収納されているため、ボイラーの外部には露出しないからである。
【実施例２】
【００３６】
図２１ないし図２４には、本発明の第２実施例による半身浴マットが示されている。本実施例の半身浴マットは、ユーザーが半身浴を楽しむためにマット体を半分に折り畳む場合、ユーザーの身体中、上体部分を支持することができる補助翼が装着されているのが特徴である。このような特徴を除いては、本実施例の半身浴マットは、前記実施例１の構成と実質的に同一である。特に、温水循環配管及びボイラーの構成は、前記実施例１を参照することにより、その詳細な説明を省略する。 
【００３７】
図２１ないし図２３に示したように、本実施例の半身浴マット２００は、その内部に温水循環配管２２０が内蔵された所定広さのマット体２１０の周囲に締結手段２３０が形成されて、前記マット体２１０を半分に折り畳んだ状態で締結させて、前記マット体２１０の上部開口部にユーザーが入って横になると、鳩尾以下の下半身が覆われて、半身浴の効果が得られるという点において、前記実施例１と同様である。但し、本実施例の半身浴マットは、前記マット体２１０の一側端にユーザーの上半身を支持することができる補助翼２５０が形成されたのが特徴である。
【００３８】
本実施例の半身浴マット２００は、半身浴をするとき、通常２人用マットである場合には縱方向に折れ、１人用マットである場合には横方向に折れるものであって、これにしたがってユーザーが入る開口部の位置が変わるため、前記補助翼２５０は、その位置が用途によってマット体２１０の縱方向または横方向となるように、形成することができる。また、前記補助翼２５０は、マット体２１０の一側端に縫製結合方法により付着されて、半身浴を楽しまないときにはマット体２１０の上部面または下部面に折れて保管及び携帯が容易にできるようにするものであって、補助翼２５０と当接するマット体２１０の一側端と前記マット体２１０に当接する補助翼２５０の一側端には、ジッパー（登録商標）、バルクロ社製ファスナー、押しボタンなど一対の結合手段体から成る脱着手段を形成させて脱・付着可能にすることによって、マット体２１０と補助翼２５０を別途保管したり洗濯できるようにして、使用の便利を図ることができる。 
【００３９】
また、前記補助翼２５０は、収納空間が形成されるカバー体２５３と、このカバー体２５３の内側収納空間に満たされる充填体２５２とから構成されるが、前記カバー体２５３の後端部には前記充填体２５２を出し入れできるようにジッパー（登録商標）のような開閉手段２５１が形成される。前記充填体２５２は、通常パッド綿またはスポンジのように軟質のクッション部材を用いることができ、ユーザーの健康状態及び好みによって木材などの硬質材料を用いることも可能である。従って、前記充填体２５２を補助翼２５０に挿入することによって、補助翼２５０とマット体２１０の高さを合わせることができ、これによりユーザーが半身浴を楽しむ場合、鳩尾部位を基準として上半身と下半身間に高さの差が無くなり、上半身がつらくなる事態が起こらなくなる。
【００４０】
一方、本実施例による半身浴健康器具は、マット体２１０の上部面に漢薬材、アロマテラピー材料などを収納することができる網紗部材の収納用布２６０が付着されるが、前記収納用布２６０の各角ごとにジッパー（登録商標）２６１を形成して、マット体２１０の上部面に脱着可能にすることもできる。 
【００４１】
以上のように構成された本実施例の半身浴温水マットは、図２４のように平常時または就寝時に、マット体２１０が広げられた状態では発熱寝具として用い、半身浴を楽しもうとするときにはマット体２１０を半分に折り畳んだ後に、マット体２１０の周囲に付着された前記の各締結手段２３０を用いてマット体２１０の上下面または左右面を結着させると、前記結合によりマット体２１０の内部に温水による発熱空間が形成されて、半身浴ができる。 
【００４２】
即ち、半分に折り畳まれたマット体２１０の両側面が、前記締結手段２３０により完全に縫合されながら温水熱が外部へ放出されない状態で、人体の鳩尾以下の下半身を覆うようになり、マット体２１０に触れない鳩尾以上の上半身は補助翼２５０により支持されながら、ユーザーは外部に別途連結されたボイラー２４０を用いて、マット体２１０の温度を好適に制御して温サウナをすることによって、半身浴の効果が得られる。また、マット体２１０の上部に付着された網紗部材の収納用布２６０に収納された漢薬材が、ユーザーの鳩尾以下の下半身全体を覆いながら接触されるため、半身浴とともにさらに健康を増進させることができる。
【実施例３】
【００４３】
図２５ないし図２７には、本発明の第３実施例による半身浴健康器具が示されている。本実施例の半身浴健康器具は、ユーザーが器具を直接着用することによって、使用場所及び行動に制約をより少なく受けるようになり、締め手段を用いて器具とユーザー身体との密着性を向上させて、半身浴の効果を極大化させることができる。本実施例において、温水循環配管及びボイラーの構成は、前記実施例１を参照することによりその詳細な説明を省略する。 
【００４４】
本実施例の半身浴健康器具３００は、ユーザーの鳩尾以下の下半身が入られるように所定の収容空間を持つ収納体３１０と、前記収納体３１０に内蔵されて外部ボイラー３５０から供給される温水を熱伝達媒体として循環させるための温水循環配管３４０と、前記収納体３１０の上端部に形成されて収納体３１０とユーザーの身体を加圧密着させるための締め手段３２０と、ユーザーの出入が容易となるように前記収納体３１０の一側端に形成された締結手段３３０とから成る。
【００４５】
また、前記収納体３１０の上端部の末端には、締め紐３２１などの締め手段３２０が収容されるようにトンネル形のスリーブ３１１が一体で形成されている。前記締め手段３２０は、前記収納体３１０の上端部に位置して、収納体３１０とユーザーの鳩尾の上部の間を加圧密着させることによって、前記収納体３１０がユーザーの身体から離脱することを防ぎ、外部空気の出入を抑制させて内部温度を維持させることによって、半身浴の効果を増大させることができるようにする。また、前記締め手段３２０としては、開閉が自由なものであれば何でも可能であり、例えばロープ、紐及びベルトなどが挙げられ、前記図面のように本実施例による締め手段３２０は、前記収納体３１０の上端部に形成されて締め調整が可能な締め紐３２１と、調整が終了した前記締め紐３２１を固定させることができる固定体３２２とから構成される。前記固定体３２２は、衣類または携帯電話用ストラップなどに用いられる公知のボタン式締め具を用いたが、これに限定されるものではなく、他の構造の固定体を用いても作用効果は同様である。 
【００４６】
前記締結手段３３０は、前記収納体３１０の左側端部または右側端部に形成されて、ユーザーが収納体３１０の内部空間に出入が容易となるようにしたものであって、ジッパー（登録商標）または押しボタンまたはベルクロ社製テープからなることができ、ジッパー（登録商標）を締結手段３３０として用いた場合、図２５及び図２６のように収納体３１０の左側端または右側端の周縁にジッパー（登録商標）を縫製のような方法を用いて一体形で付着、固定して用いる。
【００４７】
従って、前記のように構成された本実施例による半身浴健康器具は、ユーザーが半身浴をするため前記収納体３１０を着ると、前記締め手段３２０により収納体３１０の上端部がユーザーに密着され、前記締結手段３３０によりユーザーが出入する収納体３１０の側端部が結着されることによって、温水熱が外部に放出されない状態で、ユーザーの鳩尾以下の下半身を覆うようになり、これによりユーザーは外部に別途連結されたボイラー３５０を用いて温水マットの温度を好適に制御しながら温サウナをすることによって、半身浴の効果が得られる。 
【００４８】
また、図２７は本実施例の変形例であって、収納体３１０が前述した実施例のように袋状ではなくズボン状で成るものであって、ユーザーが半身浴をしようとする場合は、前記収納体３１０を通常のズボンを着ると同様に着用し、前記収納体３１０の上端部に形成された締め手段３２０を用いてユーザーの鳩尾の上部分に密着させるようになる。このとき、望ましくは前記収納体３１０の左側端部または右側端部に、ジッパー（登録商標）または押しボタンまたはベルクロ社製テープから成る締結手段３３０を採用することによって、ユーザーが収納体３１０の内部空間への出入が容易となるようにした。 
【００４９】
従って、脚の行動がより自由になって、ユーザーが半身浴健康器具を着用した状態でも移動及び携帯がさらに容易となり、各脚間ごとに別途の発熱空間が形成されることによって、半身浴の効果を増大させることができる。
【実施例４】
【００５０】
図２８及び図２９には、本発明の第４実施例による半身浴健康器具４００が示されている。本実施例の半身浴健康器具４００は、ユーザーが半身浴器を直接着用することによって、使用場所及び行動に制約をより少なく受けるようになり、特に脇腹紐、肩紐などの締め手段を用いて、半身浴健康器具とユーザーの身体との密着性を向上させて、半身浴の効果を極大化するとともに、一面が開放されたカバー体を一体で形成して、椅子及びソファーなどに容易に脱着可能にしたものである。本実施例において、温水循環配管及びボイラーの構成は、前記の実施例１を参照することによりその詳細な説明を省略する。
【００５１】
本実施例の半身浴健康器具４００は、ユーザーの鳩尾以下の下半身が入られるように所定の収容空間を持つ収納体４１０と、前記の収納体４１０に内蔵されて外部ボイラー４３０から供給される温水を熱伝達媒体として循環させるための温水循環配管４２０と、前記収納体４１０の上端部に形成されて収納体４１０とユーザーの身体を加圧、密着させるための脇腹紐４１２と、ユーザーの出入が容易となるように前記収納体４１０の一側端に形成された締結手段４１１とから形成される。また、本実施例は前記収納体４１０の上端部に形成されて収納体４１０とユーザーの身体とを垂直方向に加圧、密着させるための一対の肩紐４１３と、前記収納体４１０の後端部に一体で形成されて収納体４１０を椅子に脱着させるためのカバー体４１５とをさらに含んで構成されたものである。前記脇腹紐４１２は、前記収納体４１０の上端部に位置して収納体４１０とユーザーの鳩尾上部の間を加圧し密着させることによって、前記収納体４１０がユーザーの身体から離脱することを防止し、外部温度の出入を抑制して内部温度を維持させることによって、半身浴の効果を増大させることができるものであって、開閉が自由なものであればベルト式紐、締め式紐など、如何なる方法の形態でも代替が可能である。
【００５２】
前記の締結手段４１１は、前記収納体４１０の前面中央に長手方向に形成され、ユーザーの収納体４１０の内部空間への出入が容易となるようにしたものであって、ジッパー（登録商標）または押しボタンまたはベルクロ社製テープからなることができ、ジッパー（登録商標）を締結手段４１１として用いた場合、図２８に示したように、前記収納体４１０の前面中央部にジッパー（登録商標）を縫製のような方法を用いて一体型で付着し固定して用いるものである。前記肩紐４１３は、ユーザーの体型に関わらず用いられるように十分な長さを持つものであって、その一端が収納体４１０の後面に固定及び締結され、他端は収納体４１０の前面に雌雄ベルクロ社製テープ４１７、４１８にて外したり張ったりすることができるように構成することによって、ユーザーによって長さを正確に合うように調整することができる。前記のカバー体４１５は、収納体４１０の後面上端部に一体で構成されて、椅子またはソファー上端の一部を収容することができるように所定空間が内部に形成されたものであって、その下部面が開放されて別途の付着手段がなくても、椅子に容易に脱着させることのできる構造になっている。
【００５３】
また、前記収納体４１０の前面には、望ましくはユーザーの膝が位置する部位に所定の幅を持つベローズ部４１４を横方向に形成させて伸縮性を提供することによって、ユーザーが本実施例の半身浴健康器具を着用し椅子に座ったり立ち上がったりする動作により、収納体４１０がユーザーの鳩尾以下に押し下げられたり圧迫されることを防止した。
【００５４】
一方、収納体４１０の内側面には、脱着可能な所定大きさの薬袋４１６をさらに含んで構成されるが、前記薬袋４１６内には収納空間が形成されて、よもぎのような漢薬材及びアロマなどを充填することができるため、半身浴の効果は勿論アロマテラピーによってさらに健康増進の効果を実感することができる。
【００５５】
従って、前記のように構成された本実施例による半身浴健康器具は、ユーザーが半身浴をするため前記収納体４１０を着用する場合、ユーザーの身体サイズにしたがって、前記肩紐４１３及び脇腹紐４１２を縮ませたり伸ばしながら、ユーザーの身体サイズにかかわらず、容易に着用することができる。特に、本発明による半身浴健康器具は、前記脇腹紐４１２により収納体４１０の上端部がユーザーに密着され、前記締結手段４１１によりユーザーが出入する収納体４１０の側端部が結着されることによって、温水の熱が外部に放出されない状態でユーザーの鳩尾以下の下半身を覆うようになり、前記肩紐４１３により収納体４１０がユーザーの鳩尾以下に下がらないように固定させるものであって、これによりユーザーは外部に別途連結されたボイラー４３０を用いて温水マットの温度を好適に制御しながら温サウナをすることによって、半身浴の効果が得られる。また、ユーザーが座わって半身浴を楽しもうとする場合には、収納体４１０の後面に一体で形成されたカバー体４１５を用いて、手軽に椅子及びソファーなどに半身浴健康器具を付着させて用いることによって、長時間用いても半身浴健康器具が下に押し下がらず、安らかに用いることができる。
【図面の簡単な説明】
【００５６】
【図１】本発明の第１実施例による半身浴健康器具の斜視図である。
【図２】図１の半身浴健康器具の折り畳まれた状態の使用状態図である。
【図３】ベルクロ社製テープを締結手段として用いた半身浴健康器具の斜視図である。
【図４】押しボタンを締結手段として用いた半身浴健康器具の斜視図である。
【図５】本発明の第１実施例における変形例の斜視図である。
【図６】図５の半身浴健康器具の折り畳まれた状態の使用状態図である。
【図７】本発明の第１実施例における他の変形例の斜視図である。
【図８】図７の半身浴健康器具の折り畳まれた状態の使用状態図である。
【図９】本発明の半身浴健康器具に内蔵される温水循環配管の連結状態を示す配管図である。
【図１０】本発明の変形例による温水循環配管の配管図である。
【図１１】本発明による温水ボイラーの分解斜視図である。
【図１２】図１１の温水ボイラーの部分切開斜視図である。
【図１３】図１１のボイラーの第１変形例の分解斜視図である。
【図１４】図１３の温水ボイラーの部分切開斜視図である。
【図１５】図１１のボイラーの第２変形例の分解斜視図である。
【図１６】図１５の温水ボイラーの部分切開斜視図である。
【図１７】図１１のボイラーの第３変形例の分解斜視図である。
【図１８】図１７の温水ボイラーの部分切開斜視図である。
【図１９】図１１のボイラーの第４変形例の分解斜視図である。
【図２０】図１９の温水ボイラーの部分切開斜視図である。
【図２１】本発明の第２実施例による半身浴健康器具の斜視図である。
【図２２】図２１の半身浴健康器具の折り畳まれた状態の斜視図である。
【図２３】図２２の背面斜視図である。
【図２４】図２１の半身浴健康器具の使用状態図である。
【図２５】本発明の第３実施例による半身浴健康器具の斜視図である。
【図２６】図２５の半身浴健康器具の使用状態図である。
【図２７】本発明の第３実施例における変形例の使用状態図である。
【図２８】本発明の第４実施例による半身浴健康器具の斜視図である。
【図２９】図２８の半身浴健康器具の使用状態図である。
【図１】
2006006905.tif 000003
【図２】
2006006905.tif 000004
【図３】
2006006905.tif 000005
【図４】
2006006905.tif 000006
【図５】
2006006905.tif 000007
【図６】
2006006905.tif 000008
【図７】
2006006905.tif 000009
【図８】
2006006905.tif 000010
【図９】
2006006905.tif 000011
【図１０】
2006006905.tif 000012
【図１１】
2006006905.tif 000013
【図１２】
2006006905.tif 000014
【図１３】
2006006905.tif 000015
【図１４】
2006006905.tif 000016
【図１５】
2006006905.tif 000017
【図１６】
2006006905.tif 000018
【図１７】
2006006905.tif 000019
【図１８】
2006006905.tif 000020
【図１９】
2006006905.tif 000021
【図２０】
2006006905.tif 000022
【図２１】
2006006905.tif 000023
【図２２】
2006006905.tif 000024
【図２３】
2006006905.tif 000025
【図２４】
2006006905.tif 000026
【図２５】
2006006905.tif 000027
【図２６】
2006006905.tif 000028
【図２７】
2006006905.tif 000029
【図２８】
2006006905.tif 000030
【図２９】
2006006905.tif 000031